(57)【要約】【課題】部品点数の増加を来たすことなく灯体点灯による注意喚起効果を高め、しかも、通信手段の配置の問題をも同時に解決することのできる車両用灯体を提供する。【解決手段】前方ランプ１１と後方ランプ１０を収容する灯体９のハウジング１３を、車両のルーフ４の上面前部に取り付ける。ハウジング１３を信号透過性の高い材料で形成し、そのハウジング１３内にＥＴＣ送受信装置２０、ＧＰＳ受信装置２１、ＶＩＣＳ受信装置２２の各アンテナ２０ａ，２１ａ，２２ａやＶＩＣＳ受光素子２２ｂを配置する。【選択図】図４
2007320339.tif 000002
【特許請求の範囲】
【請求項１】
外部に光を照射する光源が信号透過性の高いハウジングに収容され、
このハウジングが車両ルーフの上面前部に取り付けられるとともに、
前記ハウジング内に通信手段の信号受信部と信号発信部の少なくとも一方が設けられていることを特徴とする車両用灯体。
【請求項２】
前記通信手段がＥＴＣ送受信装置またはＧＰＳ受信装置であることを特徴とする請求項１に記載の車両用灯体。
【請求項３】
前記通信手段がＶＩＣＳ受信装置であることを特徴とする請求項１に記載の車両用灯体。
【請求項４】
光源を収容する前記ハウジングが車両ルーフの上面前部の幅方向両側に夫々取り付けられ、
前記各ハウジング内に、前記通信手段であるＦＭ受信装置またはテレビ放送受信装置のダイバシティ方式のアンテナが配置されていることを特徴とする請求項１に記載の車両用灯体。
【請求項５】
前記通信手段が光通信装置であることを特徴とする請求項１に記載の車両用灯体。
【請求項６】
前記光源を光通信装置の信号発信部として共用することを特徴とする請求項５に記載の車両用灯体。
【請求項７】
前記ハウジング内に複数種の通信手段の信号受信部または信号発信部が設けられていることを特徴とする請求項１〜６のいずれか１項に記載の車両用灯体。
【発明の詳細な説明】
【技術分野】
【０００１】
この発明は、車両の車幅灯やブレーキランプ等の車両用灯体に関するものである。
【背景技術】
【０００２】
この種の車両用灯体は、通常、車体の側部パネルや後部パネルに設置されているが、外部からの視認性を良好にするために、これらの位置以外への設置が検討されている。例えば、ブレーキランプにあっては、車両の前面側やリヤスポイラーに配置し、対向車両や後続車両に対してより有効に注意を喚起し得るようにしたものが開発されている（例えば、引用文献１，２参照）。
【０００３】
また、近年、車両にはラジオやテレビの他にも、ＥＴＣ（Electronic Toll Collection）送受信装置やＧＰＳ（Global Positioning System）受信機、ＶＩＣＳ（Vehicle Information and Communication System）受信装置等の多くの通信手段が装備される傾向にある。
これらの通信手段は、電波や光を通信媒体とするため、アンテナ等の信号受信部や信号発進部を車両上の通信障害の起こり難い部位に設置する必要がある。このため、従来では、信号受信部や信号発進部はウインドシールドガラスに臨むダッシュボードの上や、ヘッドライト部、ルーフパネルの内側等に設置したものが案出されている（例えば、特許文献３，４，５参照）。
【特許文献１】実開平５−４４６８２号公報
【特許文献２】特開昭６１−１６０３３０号公報
【特許文献３】特開２００３−３３２９５７号公報
【特許文献４】特開２００１−１３０３３３号公報
【特許文献５】特開２００６−１４０１９号公報
【発明の開示】
【発明が解決しようとする課題】
【０００４】
上述した従来の車両用灯体においては、車両の前方や後方、側方等の各視認方向毎に対応する灯体を個別に設置しなければならないため、車両に設置する灯体数が多くなり、製造コストの高騰と重量の増加を招くことが懸念されている。
【０００５】
また、小型車両等においては、大型トラックやトレーラ等の運転視点の高い車両（以下、「高視点車両」と呼ぶ。）が後方から接近した場合に、前方を注視した高視点車両の運転者の視界下方に入り込むことによって被視認性が低下する傾向にある。このような状況においては、車体の後端部に設けたブレーキランプ等の灯体の注意喚起効果が必ずしも充分ではない。このため、現在、高視点車両の運転者に対して車両を確実に認識させることのできる手段の案出が望まれている。
【０００６】
一方、車両に搭載する通信手段については、信号受信部や信号発進部のより有効な配置が検討されている。即ち、信号受信部や信号発進部をダッシュボード上に設置する場合には、肉厚の厚いウインドシールドガラスの内側に配置されるために、送受信信号が減衰され易く、ヘッドライト部に配置する場合には、支障なく送受信が行える範囲が大きく限定されてしまう。また、信号受信部や信号発進部をルーフパネル内に配置する場合には、ルーフパネル全体を信号透過性の高い材料に変更しなければならず、製造コストや車両強度について考えれば現実的ではない。
【０００７】
そこでこの発明は、部品点数の増加を来たすことなく灯体点灯による注意喚起効果を高め、しかも、通信手段の配置の問題をも同時に解決することのできる車両用灯体を提供しようとするものである。
【課題を解決するための手段】
【０００８】
上記目的を達成するために、請求項１に記載の発明は、外部に光を照射する光源（例えば、後述の実施形態における後方ランプ１０，前方ランプ１１）が信号透過性の高いハウジング（例えば、後述の実施形態におけるハウジング１３）に収容され、このハウジングが車両ルーフ（例えば、後述の実施形態におけるルーフ４）の上面前部に取り付けられるとともに、前記ハウジング内に通信手段（例えば、後述の実施形態におけるＥＴＣ送受信装置２０，ＧＰＳ受信装置２１，ＶＩＣＳ受信装置２２）の信号受信部と信号発信部の少なくとも一方が設けられるようにした。
これにより、ハウジングに収容された光源の光が車両前方側から視認し得るようになるとともに、後方から接近した高視点車両の運転者からも視認し得るようになる。また、通信手段は、車両ルーフの上面前部に配置されるため、信号の受信や発信を良好に維持でき、しかも、信号透過性の高いハウジング内に収容されているために、水や埃からも確実に保護される。
【０００９】
請求項２に記載の発明は、請求項１に記載の発明において、前記通信手段を、ＥＴＣ送受信装置（例えば、後述の実施形態におけるＥＴＣ送受信装置２０）またはＧＰＳ受信装置（例えば、後述の実施形態におけるＧＰＳ受信装置２１）によって構成するようにした。
ＥＴＣやＧＰＳで用いられる電波は、肉厚ガラスを透過する際に減衰され易い高周波帯域のものであるが、この発明においては、ＥＴＣ送受信装置またはＧＰＳ受信装置の信号受信部や信号発信部が信号透過性の高いハウジングに収容された状態で車両ルーフの上面前部に配置されていることから、信号通信を良好な状態で行うことができる。
【００１０】
請求項３に記載の発明は、請求項１に記載の発明において、前記通信手段を、ＶＩＣＳ受信装置（例えば、後述の実施形態におけるＶＩＣＳ受信装置２２）によって構成するようにした。
ＶＩＣＳでは、赤外線や、極超短波〜マイクロ波の帯域の電波が用いられるが、これらの光や電波を扱うにあたっても、ＶＩＣＳ受信装置の信号受信部が信号透過性の高いハウジングに収容された状態でルーフ上に設置されることから、信号通信を良好な状態で行うことができる。
【００１１】
請求項４に記載の発明は、請求項１に記載の発明において、光源を収容する前記ハウジングが車両ルーフの上面前部の幅方向両側に夫々取り付けられ、前記各ハウジング内に、前記通信手段であるＦＭ受信装置（例えば、後述の実施形態におけるＦＭ受信装置２６）またはテレビ放送受信装置（例えば、後述の実施形態におけるテレビ放送受信装置２７）のダイバシティ方式のアンテナ（例えば、後述の実施形態におけるアンテナ２８Ａ，２８Ｂ）が配置されるようにした。
この場合、車両ルーフの幅方向の両側に同様にハウジングが配置され、この各ハウジング内にダイバシティ方式のアンテナが配置されるため、良好な受信状態を常に維持できる。
【００１２】
請求項５に記載の発明は、請求項１に記載の発明において、前記通信手段を光通信装置（例えば、後述の実施形態における光通信装置３０）によって構成するようにした。
この場合、光通信装置の信号発信部や信号受信部は、車両ルーフの上面前部の角部に近接した位置に設置されるため、光信号の受信や発信が周囲に遮られることがなく良好に行われる。
【００１３】
請求項６に記載の発明は、請求項５に記載の発明において、前記光源を光通信装置の信号発信部（例えば、後述の実施形態における信号発信部３１）として共用するようにした。
この場合、注意喚起のための灯体の光源が光通信装置の信号発信部と共用されるため、部品点数の削減が可能となる。
【００１４】
請求項７に記載の発明は、請求項１〜６のいずれか１項に記載の発明において、前記ハウジング内に複数種の通信手段の信号受信部または信号発信部が設けられるようにした。
この場合、複数種の通信手段の信号受信部や信号発進部が、車両ルーフの上面前部のハウジングの内側に集約して配置されるため、室内に設置する通信手段の機器をより少なくすることができる。
【発明の効果】
【００１５】
請求項１に記載の発明によれば、光源が信号透過性の高いハウジングに収容されて車両ルーフの上面前部に取り付けられるため、車両の前方側からと、後方側、特に後方から接近した高視点車両からの視認性を良好にすることができ、しかも、車両ルーフの上面前部に位置されるハウジング内に通信手段の信号受信部や信号発信部が設置されることから、良好な通信環境を得ることができる。したがって、この発明によれば、部品点数の増加を来たすことなく灯体点灯による注意喚起効果を高めることができ、しかも、通信手段の通信環境を最適な状態に維持することができる。
【００１６】
請求項２に記載の発明によれば、ＥＴＣ送受信装置やＧＰＳ受信装置の信号受信部や信号発信部を信号減衰の生じにくい良好な通信環境に配置することができる。
【００１７】
請求項３に記載の発明によれば、ＶＩＣＳ受信装置の信号受信部を確実な信号受信が可能な良好な通信環境に配置することができる。
【００１８】
請求項４に記載の発明によれば、車両ルーフの幅方向の両側に同様に配置された各ハウジングにダイバシティ方式のアンテナを夫々配置したため、車両意匠上の違和感を招くことなく、良好な受信状態を得ることができる。
【００１９】
請求項５に記載の発明によれば、光通信装置の信号受信部や信号発信部を、光が周囲に遮られにくい良好な通信環境に配置することができる。
【００２０】
請求項６に記載の発明によれば、注意喚起のための灯体の光源を光通信装置の信号発信部と共用するため、部品点数を削減して製造コストの低減を図ることができる。
【００２１】
また、請求項７に記載の発明によれば、車両ルーフの上面前部に設置されたハウジングの内側に複数種の通信手段の信号受信部や信号発信部が集約して設けられるため、各通信手段の信号受信部や信号発信部を良好な通信環境に設置できるとともに、室内に設置する通信手段の機器をより少なくして室内の有効スペースを広げることができる。
【発明を実施するための最良の形態】
【００２２】
以下、この発明の実施形態を図面に基づいて説明する。
最初に、図１〜図６に示す第１の実施形態について説明する。なお、図中矢印Ｆは、車両の前方を示すものとする。
図１は、この発明に係る車両用灯体９（以下、「灯体９」と呼ぶ。）を装備した車両１が、前方の普通車両２と後方の大型トラック３に挟まれるかたちで路上を走行している状態を示すものである。なお、図１中ｉは、車両１のルーフ越しにさらに前方の普通車両２が目に入ったときの大型トラック３の運転者の視線を示す。大型トラック３の運転席は普通車両２に比較して高く、運転席からの視点高さＨも高くなっている。
【００２３】
車両１のルーフ４は、車体前後方向の略中央位置が上方側に最も膨出し、この最膨出部分がルーフ４の頂部となっている。そして、ルーフ４のこの頂部よりも前方側は、図２に示すようにウインドシールドガラス５のある車両前方側に向かって下方に傾斜している。
【００２４】
また、ルーフ４の車幅方向両側には、車体前後方向に沿ってルーフモール取付溝（図示せず）が形成され、この各ルーフモール取付溝に、樹脂製のルーフモール８とともに灯体９が取り付けられている。灯体９は、ルーフ取付溝の前端部に配置され、ルーフ４の前端側において上方に一部膨出して配置されている。なお、この実施形態の場合、灯体９は、運転席でのスイッチ操作によって点灯する車幅灯である。
【００２５】
灯体９は、図４に示すように車両後方側の照光に用いられる後方ランプ１０（光源）と、主に車両前方側の照光に用いられる前方ランプ１１（光源）と、これらのランプ１０，１１とランプ点灯用の回路部品（図示せず。）を支持し、ルーフモール取付溝内に取り付けられる灯体ベース１２と、灯体ベース１２の上方側に取り付けられて後方ランプ１０と前方ランプ１１の上方側周囲を囲繞するハウジング１３と、を備えている。ハウジング１３は、電波透過性を有する樹脂材料によって形成され、一部は光透過性を有する着色透明樹脂によって形成されている。
【００２６】
また、一方の灯体９（例えば、図６の進行方向Ｆに対して左側の灯体９Ａ）のハウジング１３の内部には、ランプ１０，１１の他にＥＴＣ送受信装置２０（通信手段）と、ＧＰＳ受信装置２１（通信手段）と、ＶＩＣＳ受信装置２２（通信手段）の各電波送受信用のアンテナ２０ａ，２１ａ，２２ａ（信号発信部，信号受信部）と、ＶＩＣＳ受信装置２２のＶＩＣＳ受光素子２２ｂ（信号受信部）とが配置されている。
具体的には、ＥＴＣ送受信装置２０のアンテナ２０ａは、走行中にＥＴＣゲート２３（図３参照）との間で信号の送受信を行う関係で、ハウジング１３内の最前端部に前方斜め上方に指向して配置されており、ＧＰＳ受信装置２１のアンテナ２１ａは、上空の衛星から信号を受信する関係で、ハウジング１３内のほぼ中央のランプ支持台２４の上面に上方に指向して配置されている。また、ＶＩＣＳ受光素子２２ｂは、車両前方からの信号受信を良好にするために、ＥＴＣ送受信装置２０のアンテナ２０ａと前方ランプ１１の間に前方斜め上方に指向するように配置され、ＶＩＣＳ受信装置２２のアンテナ２２ａは後方ランプ１０の後部側に配置されている。ＥＴＣのアンテナ２０ａは車室内のＥＴＣ本体２０ｃ（ＥＴＣ車載器）に接続され、ＧＰＳのアンテナ２１ａと、ＶＩＣＳのアンテナ２２ａ及び受光素子２２ｂは車室内のナビゲーション装置２５に接続されている。
【００２７】
さらに、この実施形態の場合、図５，図６に示すように左右の灯体９Ａ，９Ｂのハウジング１３の内部には、ＦＭ受信装置２６（通信手段）とテレビ放送受信装置２７（通信手段）のダイバシティ方式のアンテナ２８Ａ，２８Ｂ（信号受信部）の一方が夫々配置されている。図５は、ＦＭ受信装置２６とテレビ放送受信装置２７における受信信号の処理ブロックを示したものであり、これらの装置２６，２７においては、同図に示すように各灯体９Ａ，９Ｂ内のアンテナ２８Ａ，２８Ｂのうちの信号受信状況の優れたものが処理回路２９によって優先的に利用されるようになっている。
なお、この実施形態の場合、ＥＴＣ送受信装置２０、ＧＰＳ受信装置２１、ＶＩＣＳ受信装置２２の各アンテナ２０ａ，２１ａ，２２ａとＶＩＣＳ受光素子２２ｂが、図６に示すように左側の灯体９Ａのハウジング１３内に集約して配置されているが、左右いずれの灯体９Ａ，９Ｂのハウジング１３に集約して配置するかは任意である。ただし、車室内に設置するＥＴＣ本体２０ｃやナビゲーション装置２５に近い側の灯体に設置すれば配線上有利となる。
【００２８】
以上のように、この実施形態の車両１においては、灯体９がルーフ４の左右の前面上部に夫々設置されているため、灯体９の点灯を、車両の前方側だけでなく側方や後方側から良好に視認することができる。特に、図１に示すように、灯体９を点灯した車両１に後方から大型トラック３が所定距離Ｌ内に接近すると、大型トラック３の運転者の視線ｉ上にルーフ４の前端部の灯体９の点灯が確実に目に入り、後続の大型トラック３に注意を喚起して車両１の存在を認識させることができる。
したがって、この灯体９を採用した場合、灯体設置数の大幅な増加を来すことなく、灯体９の点灯によって車両周囲の多方向に有効に注意を喚起し、車両１の存在を認識させることができる。
【００２９】
また、この車両１で採用している灯体９は、ランプ１０，１１を収容するハウジング１３が電波透過性に優れた樹脂材料によって形成され、そのハウジング１３の内部にＥＴＣ、ＧＰＳ、ＶＩＣＳの各アンテナ２０ａ，２１ａ，２２ａと、ＶＩＣＳ受光素子２２ｂ、ＦＭ放送やテレビ放送の受信用のアンテナ２８Ａ，２８Ｂ等が配置されているため、灯体９がルーフ４の上面前部に設置された状態において、すべての通信手段を良好な通信環境におくことができる。つまり、上記の各通信手段のアンテナ２０ａ，２１ａ，２２ａ…等は信号を良好に透過するハウジング１３に収容され、その状態でルーフ４の前部側の角部の近傍に配置されることになるため、各アンテナ２０ａ，２１ａ，２２ａ…の周囲を他の部材に遮られることなく、充分に高い位置において信号の送受信を行うことができる。
特に、ＥＴＣやＧＰＳ、ＶＩＣＳ等の高周波帯域の信号を用いる通信手段のアンテナ２０ａ，２１ａ，２２ａは、ウインドシールドガラス等の肉厚ガラスの内側に設置せずにルーフ４に配置されるため、信号減衰が生じにくく、受信感度が確実に高まる。さらに、ＧＰＳ用のアンテナ２１ａはハウジング１３の表面近くに設置されるため、高周波のノイズの影響をより小さくすることができる。
【００３０】
さらに、この実施形態においては、灯体９のハウジング１３の内部にＥＴＣやＧＰＳ、ＶＩＣＳの各アンテナ２０ａ，２１ａ，２２ａと、ＶＩＣＳ受光素子２２ｂ、放送受信用のアンテナ２８Ａ，２８Ｂ等が集約されて配置されているため、すべての通信手段の通信環境を良好に維持できるとともに、車室内側に設置する通信機器を少なくして車室内スペースを有効活用できるようになる。
そして、通信手段のアンテナ２０ａ，２１ａ，２２ａ，２８Ａ，２８Ｂや受光素子２２ｂは、ルーフ４の上部にあってハウジング１３の内部に略密閉状態で収容されるため、埃や雨水等から確実に保護される。
【００３１】
また、この実施形態においては、ルーフ４の左右の灯体９のハウジング１３内にダイバシティ方式のアンテナ２８Ａ，２８Ｂが収容されているため、車両１の意匠上の違和感を招くことなく、良好な電波受信環境を得ることができる。
【００３２】
図７，図８は、この発明の第２の実施形態を示すものである。
この実施形態の灯体１０９は、通信手段として光通信装置３０が用いられ、ハウジング１３の内部に信号発信部３１が収容されている。具体的には、信号発信部３１は車両前方側に放射状に配置された複数のＬＥＤから成り、このＬＥＤが光源としての前方ランプと共用されるようになっている。勿論、光通信装置３０の信号発信部３１と前方ランプは夫々別々に設けることも可能であるが、この実施形態のように両者を共用することによって部品点数を削減し、それによって製造コストの低減を図ることができる。
【００３３】
灯体１０９は、前記の信号発信部３１の他にハウジング１３の内部に図示しない後方ランプが配置され、ハウジング１３の少なくとも信号発信部３１と後方ランプの照射部前方側が光透過性の高い着色透明樹脂によって形成されている。そして、この実施形態の場合にも、灯体１０９はルーフ４の左右の前面上部に夫々設置されている。
【００３４】
この実施形態の車両１０１の場合も、灯体１０９がルーフ４の左右の前面上部に夫々設置されているため、灯体１０９の点灯を、車両の前方側だけでなく側方や後方側からも良好に視認することができる。したがって、灯体設置数の大幅な増加を来すことなく、灯体１０９の点灯によって車両周囲の多方向に有効に注意を喚起することができる。
【００３５】
そして、この実施形態の灯体１０９の場合、光通信装置３０の信号発信部３１がルーフ４の上面前部に配置されるため、光が周囲に遮られにくく良好な通信環境を得ることができる。
図９は、光通信装置３０の信号発信部３１を車両のヘッドライト４０またはウィンカーに設置した場合の比較例である。この比較例の場合、信号発信部３１がフロントフェンダーパネル４１の上部に配置されることになるため、信号発信部３１から発された光は、同図中の領域Ｅ０で示すように、前方車両や自車のルーフ４が障害となって車両前後方向に到達しにくくなる。これに対し、この実施形態の灯体１０９を採用した車両１０１の場合、図８中の領域Ｅ１に示すように、前方車両１０２や自車のルーフ４を越えて灯体１０９（信号発信部３１）の光が車両前後方向に確実に到達するようになる。
【００３６】
この実施形態の場合も、灯体１０９のハウジング１３の内部にＥＴＣ、ＧＰＳ、ＶＩＣＳ等の他の通信手段の信号送受信部をさらに配置するようにしても良い。
【００３７】
なお、この発明は上記の実施形態に限定されるものではなく、その要旨を逸脱しない範囲で種々の設計変更が可能である。例えば、灯体のハウジング内に配置する通信手段の送受信部は、以上で説明したものに限るものでなく、ＥＴＣ以外のＤＳＲＣ（Dedicated Short Range Communication）利用システムに用いるアンテナや、車両相互間の通信用のアンテナ、トランシーバやアウトドアでの音楽配信のためのアンテナ、盗難防止装置やキーレスエントリー装置の電波受信のためのアンテナ等、他の通信手段の送受信部であっても良い。
【図面の簡単な説明】
【００３８】
【図１】この発明の第１の実施形態を示す車両の側面図。
【図２】同実施形態を示すものであり、車両を前部上方から見た斜視図。
【図３】同実施形態を示すものであり、電波の受信イメージを示す模式的な鳥瞰図。
【図４】同実施形態を示す車両用灯体の概略構成図。
【図５】同実施形態を示す車両用灯体の概略構成図。
【図６】同実施形態を示す車両用灯体の概略構成図。
【図７】この発明の第２の実施形態を示す車両用灯体の概略構成図。
【図８】同実施形態を示すものであり、光の発信イメージを示す模式的な側面図。
【図９】同実施形態の比較例を示すものであり、光の発信イメージを示す模式的な側面図。
【符号の説明】
【００３９】
１，１０１…車両
４…ルーフ
９，１０９…灯体（車両用灯体）
１０…後方ランプ（光源）
１１…前方ランプ（光源）
１３…ハウジング
２０…ＥＴＣ送受信装置（通信手段）
２０ａ…アンテナ（信号送信部，信号受信部）
２１…ＧＰＳ受信装置（通信手段）
２１ａ…アンテナ（信号受信部）
２２…ＶＩＣＳ受信装置（通信手段）
２２ａ…アンテナ（信号受信部）
２２ｂ…受光素子（信号受信部）
２６…ＦＭ受信装置（通信手段）
２７…テレビ放送受信装置（通信手段）
２８Ａ，２８Ｂ…アンテナ（信号受信部）
３０…光通信装置
３１…信号発信部
【図１】
2007320339.tif 000003
【図２】
2007320339.tif 000004
【図３】
2007320339.tif 000005
【図４】
2007320339.tif 000006
【図５】
2007320339.tif 000007
【図６】
2007320339.tif 000008
【図７】
2007320339.tif 000009
【図８】
2007320339.tif 000010
【図９】
2007320339.tif 000011